【手続補正書】
【提出日】令和2年1月14日(2020.1.14)
【手続補正１】
【補正対象書類名】特許請求の範囲
【補正対象項目名】全文
【補正方法】変更
【補正の内容】
【特許請求の範囲】
【請求項１】
ケイ素、硫酸塩、リン酸塩、タングステン、ニオブ、アルミニウム、モリブデン、チタ
ン、又はスズを１種以上含むドーパントを、酸化物基準で最大３０重量％まで含有し、か
つ酸点を有するジルコニウム水酸化物又はジルコニウム酸化物。
【請求項２】
前記酸点の大部分がルイス酸点である、請求項１に記載のジルコニウム水酸化物又はジルコニウム酸化物。
【請求項３】
ブレンステッド酸点よりも多いルイス酸点を有する、請求項１又は２に記載のジルコニウム水酸化物又はジルコニウム酸化物。
【請求項４】
ケイ素、硫酸塩、リン酸塩、タングステン、ニオブ、アルミニウム、モリブデン、チタン、又はスズを１種以上含むドーパントを、酸化物基準で０．１重量％未満含有し、
前記ジルコニウム水酸化物は多孔質であり、かつ、最大１５５ｎｍの細孔直径を有する細孔に関して、ＢＪＨ法を用いて測定した場合、細孔容積の少なくとも７０％は、３．５〜１５５ｎｍの細孔直径を有する前記空孔によって提供される、請求項１〜３のいずれか１項に記載のジルコニウム水酸化物。
【請求項５】
最大１５５ｎｍの細孔直径を有する細孔に関して、ＢＪＨ法を用いて測定した場合、細孔容積の少なくとも７５％は、３．５〜１５５ｎｍの細孔直径を有する空孔によって提供される、請求項４に記載のジルコニウム水酸化物。
【請求項６】
ケイ素、硫酸塩、リン酸塩、タングステン、ニオブ、アルミニウム、モリブデン、チタン又はスズを１種以上含むドーパントを、酸化物基準で０．１重量％未満含有し、空気雰囲気中４５０℃で２時間焼成した後、ＸＲＤにより測定した場合、少なくとも８０重量％の単斜晶相を有する、請求項１〜３のいずれか１項に記載のジルコニウム酸化物。
【請求項７】
ケイ素、硫酸塩、リン酸塩、タングステン、ニオブ、アルミニウム、モリブデン、チタン又はスズを１種以上含むドーパントを、酸化物基準で０．１重量％未満含有し、空気雰囲気中９００℃で２時間焼成した後、少なくとも１５ｍ２／ｇの表面積を有する、請求項請求項１〜３のいずれか１項に記載のジルコニウム酸化物。
【請求項８】
空気雰囲気中９００℃で２時間焼成後、Ｎ２物理吸着により測定した場合、少なくとも０．１０ｃｍ３／ｇの全細孔容積を有する、請求項７に記載のジルコニウム酸化物。
【請求項９】
ケイ素、硫酸塩、リン酸塩、タングステン、ニオブ、アルミニウム、モリブデン、チタン又はスズを１種以上含むドーパントを、酸化物基準で０．１重量％未満含有し、６００℃で２時間焼成した後、ＴＰＤにより測定した場合、４００〜６００℃で少なくとも１４μｍｏｌ／ｇのＣＯ２取り込みを有する、請求項１〜３のいずれか１項に記載のジルコニウム酸化物。
【請求項１０】
少なくとも３７５ｍ２／ｇの表面積を有する、酸化物基準で０．１〜３０重量％の硫酸塩を含む、請求項１〜３のいずれか１項に記載のドープされたジルコニウム水酸化物。
【請求項１１】
Ｎ２物理吸着法により測定した場合、少なくとも０．５０ｃｍ３／ｇの全細孔容積を有する、請求項１０に記載のドープされたジルコニウム水酸化物。
【請求項１２】
空気雰囲気中６００℃で２時間焼成後、酸化物基準で０．１〜３０重量％の硫酸塩を含有し、ＰＤにより測定した場合、少なくとも８００μｍｏｌ／ｇのＮＨ３取り込みを有する、請求項１〜３のいずれか１項に記載のドープされたジルコニウム酸化物。
【請求項１３】
酸化物基準で１〜１２重量％の硫酸塩を含有する、請求項１０〜１２のいずれか一項に記載のドープされたジルコニウム水酸化物又はドープされたジルコニウム酸化物。
【請求項１４】
少なくとも４００ｍ２／ｇの表面積を有する、酸化物基準で０．１〜３０重量％のタングステン水酸化物又は酸化物を含有する、請求項１〜３のいずれか１項に記載のドープされたジルコニウム水酸化物。
【請求項１５】
Ｎ２物理吸着法により測定した場合、少なくとも０．７ｃｍ３／ｇの全細孔容積を有する、請求項１４に記載のドープされたジルコニウム水酸化物。
【請求項１６】
酸化物基準で１２〜２０重量％のタングステン水酸化物又は酸化物を含有する、請求項１４又は請求項１５のいずれかに記載のドープされたジルコニウム水酸化物。
【請求項１７】
酸化物基準で０．１〜３０重量％のタングステン水酸化物又は酸化物を含有し、空気雰囲気中７００℃で２時間の焼成後、ＴＰＤにより測定した場合、少なくとも４２０μｍｏｌ／ｇのＮＨ３取り込みを有する、請求項１〜３のいずれか１項に記載のドープジルコニウム酸化物。
【請求項１８】
酸化物基準で０．１〜３０重量％のケイ素水酸化物又は酸化物を含有し、請求項１〜３のいずれか１項に記載のドープジルコニウム酸化物であって、
前記ジルコニウム酸化物は、空気雰囲気中８５０℃で２時間の焼成後、ＴＰＤにより測定した場合、少なくとも３３０μｍｏｌ／ｇのＮＨ３取り込みを有する、請求項１〜３のいずれか１項に記載のドープされたジルコニウム酸化物。
【請求項１９】
酸化物基準で１〜１０重量％のケイ素水酸化物又はケイ素酸化物を含む、請求項１８に記載のドープジルコニウム酸化物。
【請求項２０】
ジルコニウム水酸化物又はジルコニウム酸化物の合計ジルコニウム量は、酸化物基準で少なくとも５０重量％となるように、希土類水酸化物若しくは酸化物、イットリウム水酸化物若しくは酸化物、又は他の遷移金属水酸化物若しくは酸化物から選択される１種以上の追加のドーパントを含む、請求項１〜３のいずれか１項に記載のドープジルコニウム水酸化物又は酸化物。
【請求項２１】
ジルコニウム水酸化物を調製する方法であって、
（ａ）水性酸中にジルコニウム塩を溶解するステップと、
（ｂ）得られた溶液又はゾルに１種以上の錯化剤を添加するステップと、
前記１種以上の錯化剤は、以下の官能基の少なくとも１種を含む有機化合物：アミン、有機硫酸塩、スルホン酸塩、ヒドロキシル、エーテル又はカルボン酸基である、
（ｃ）ステップ（ｂ）で形成された前記溶液又は前記ゾルを加熱するステップと、
（ｄ）硫酸化剤を添加するステップと、
（ｅ）塩基を添加して、ジルコニウム水酸化物を形成するステップと、
（ｆ）随意にドーパントを添加するステップと、を有する方法。
【請求項２２】
前記ジルコニウム塩は、塩基性炭酸ジルコニウム又はジルコニウム水酸化物である、請求項２１に記載の方法。
【請求項２３】
前記水性酸は、塩酸、硫酸、硝酸又は酢酸である請求項２１又は２２に記載の方法。
【請求項２４】
前記水性酸は、硝酸である、請求項２３に記載の方法。
【請求項２５】
錯化剤は、アルファヒドロキシカルボン酸である、請求項２１〜２４のいずれか一項に記載の方法。
【請求項２６】
前記アルファヒドロキシカルボン酸は、マンデル酸である、請求項２５に記載の方法。
【請求項２７】
前記ステップ（ｃ）において、前記溶液又は前記ゾルを６０〜１００℃の温度に加熱する、請求項２１〜２６のいずれか一項に記載の方法。
【請求項２８】
前記硫酸化剤は、硫酸である、請求項２１〜２７のいずれか一項に記載の方法。
【請求項２９】
前記ステップ（ｅ）において、前記溶液又は前記ゾルのｐＨを、ｐＨ＞８に上昇させる、請求項２１〜２８のいずれか一項に記載の方法。
【請求項３０】
前記ドーパントが、ケイ素、硫酸塩、リン酸塩、タングステン、ニオブ、アルミニウム、モリブデン、チタン又はスズを１種以上含む、請求項２１〜２９のいずれか一項に記載の方法。
【請求項３１】
前記ステップ（ｅ）の後に、ドーパントを添加するステップ（ｆ）を含む、請求項３０に記載の方法。
【請求項３２】
請求項１〜２０のいずれか一項に記載のジルコニウム水酸化物又はジルコニウム酸化物を含む、触媒、触媒担体又は前駆体、バインダー、機能性バインダー、コーティング又は吸着剤。